(57)【要約】【課題】防虫（鳥、獣）作用のある水切り袋及びごみ袋を提供する。【解決手段】含浸シートを、不織布に、ハーブと称せられる植物精油を単独又は複数種ブレンドしたものを含浸して構成するか、さらに、ｃａｐｓｉｃｕｍ（激辛トウガラシ）のエキス、及び／又はガーリック（ニンニク）のエキスを含浸させて構成する。この場合、含浸シートの表面に、融点が４０℃〜９０℃であるパラフィン又はワックスを含浸或いは塗布するのが望ましい。水切り袋は上記含浸シートを用いて構成するか、含浸シートを、合成樹脂シートから成る水切り袋の所定の面部分に、接着剤又は加熱処理で貼着して構成する。また、ごみ袋は、含浸シートを、合成樹脂シートから成るごみ袋の全面又は所定の面部分に、接着剤又は加熱処理で貼着して構成する。【選択図】  図３
2004238778.tif 000002
【特許請求の範囲】
【請求項１】
不織布に、シトロネラ、ニームオイル、スペアミント、カユプテ、ゼラニウム、パチュリ、テレピン、除虫菊等のハーブと称せられる植物精油を単独又は複数種ブレンドしたものを含浸して構成したことを特徴とする含浸シート。
【請求項２】
上記含浸シートに対して、
さらに、ｃａｐｓｉｃｕｍ（激辛トウガラシ）のエキスを含浸するようにしたことを特徴とする請求項１に記載の含浸シート。
【請求項３】
上記含浸シートに対して、
さらに、ガーリック（ニンニク）のエキスを含浸させた請求項１又は２に記載の含浸シート。
【請求項４】
上記含浸シートの表面に、融点が４０℃〜９０℃であるパラフィン又はワックスを含浸或いは塗布するようにした請求項１乃至３のいずれかに記載の含浸シート。
【請求項５】
請求項１乃至４のいずれかに記載の含浸シートを用いて構成したことを特徴とする水切り袋。
【請求項６】
請求項１乃至４のいずれかに記載の含浸シートを、
合成樹脂シートから成る水切り袋の所定の面部分に、接着剤又は加熱処理で貼着するようにして構成したことを特徴とする水切り袋。
【請求項７】
請求項１乃至４のいずれかに記載の含浸シートを、
合成樹脂シートから成るごみ袋の全面又は所定の面部分に、接着剤又は加熱処理で貼着するようにして構成したことを特徴とするごみ袋。
【請求項８】
上記含浸シートの形状は、矩形状又は円形状などの各種形状で形成するようにしたことを特徴とする請求項１乃至４のいずれかに記載の含浸シート。
【発明の詳細な説明】
【０００１】
【発明の属する技術分野】
本発明は、ゴキブリ等の害虫のほか、カラス等の害鳥、猫などの害獣の被害を防止するようにした水切り袋及びごみ袋の改良に関するものである。
【０００２】
【従来の技術】
家庭用又は事業者が残飯等の廃棄用食物を封入するのに用いる水切り袋としては、従来のものではポリエチレンシート成る袋に複数個の孔を設けたものが用いられ、また、家庭用又は事業者用の燃えるごみ又は燃えないごみを封入するためのごみ袋の従来のものは、例えば、炭酸カルシウムを所定割合混入したポリエチレンシートから成るごみ袋が主流であった。
【０００３】
【発明が解決しようとする課題】
ところで、この種形態の水切り袋及びごみ袋の場合、これらの水切り袋やごみ袋の収納物に生ごみが存在すると、ゴキブリなどの害虫や、カラスなどの害鳥や猫などの害獣の被害があり、その対策に、主婦や各都道府県の関係者が苦慮しており、適切な対策が求められていた。
【０００４】
本発明は、この点を考慮し、簡単な構成の含浸シートを製作し、この含浸シートをもとに製作できる、ゴキブリ等の害虫のほか、カラス等の害鳥、猫などの害獣の被害を防止するようにした改良された水切り袋と、ごみ袋を提供することを目的とする。
【０００５】
【課題を解決するための手段】
本発明の含浸シートは、上記課題を解決するために、請求項１に記載のものでは、不織布に、シトロネラ、ニームオイル、スペアミント、カユプテ、ゼラニウム、パチュリ、テレピン、除虫菊等のハーブと称せられる植物精油を単独又は複数種ブレンドしたものを含浸して構成するようにした。
【０００６】
なお、含浸シートは、請求項２に記載のように、上記含浸シートに対して、
さらに、ｃａｐｓｉｃｕｍ（激辛トウガラシ）のエキスを含浸するようにして構成したり、さらに、請求項３に記載のように、上記含浸シートに対して、
さらに、ガーリック（ニンニク）のエキスを含浸させて構成するのが望ましい。
【０００７】
また、請求項４に記載のように、上記含浸シートの表面に、融点が４０℃〜９０℃であるパラフィン又はワックスを含浸或いは塗布する構成とするのが、さらに望ましい。
【０００８】
また、水切り袋としては、請求項５に記載のように、請求項１乃至４のいずれかに記載の含浸シートを用いて構成することができる。
或いは、これに代え、請求項６に記載のように、請求項１乃至４のいずれかに記載の含浸シートを、合成樹脂シートから成る水切り袋の所定の面部分に、接着剤又は加熱処理で貼着するようにして構成することができる。
【０００９】
また、ごみ袋としては、請求項７に記載のように、請求項１乃至４のいずれかに記載の含浸シートを、合成樹脂シートから成るごみ袋の全面又は所定の面部分に、接着剤又は加熱処理で貼着するようにして構成することができる。
これらの場合、水切り袋及びごみ袋に貼着する含浸シートの形状は、請求項８に記載のように矩形状又は円形状などの各種形状にすることができる。
【００１０】
【発明の実施の形態】
まず、本発明の水切り袋及びごみ袋の構成要素となる本発明の含浸シートの構成の基本形態から説明する。
１．含浸シート
第１の基本形態：
まず、第１の基本形態である本発明の含浸シートについて説明する。
本基本形態の含浸シートは、不織布（例えば、麻が１００重量％の不織布又は麻が７０〜８０重量％、パルプが３０〜２０重量％の不織布のほか、市販の各種の不織布を適用できる。）に、シトロネラ、ニーム、スペアミント、カユプテ、ゼラニウム、パチュリ、テレピン、除虫菊等のハーブと称せられる植物精油を単独又は複数種ブレンドしたものを含浸して構成すればよい。
【００１１】
この場合、含浸されるハーブと称せられる植物精油のエキスは、１種のみを単独で使用しても良いし、複数のものをブレンドしたものを使用しても良い。
ハーブと称される植物精油の具体例としては、シトロネラ等のカンキツ系の植物精油、カユプテ等の樹木類の植物精油、ゼラニウム等の花の植物精油、パチェリ等のエキゾチック植物精油、テレビン等の樹脂類の植物精油、シナモン等のスパイス類の植物精油、ニームオイル等のセンダン科、スペアミント等のシソ科の植物精油が挙げられる。
また、複数のブレンド例としては、例えば、カンキツ系の植物精油とセンダン科の植物精油とのブレンド例、カンキツ系の植物精油とスパイス類の植物精油、特に、シトロネラとニームオイルとのブレンド例及びシトロネラとシナモンとのブレンド例が効果的である。
この場合、ハーブを構成するカンキツ系の植物精油と、センダン科の植物精油の混合比は、例えば、６：１〜５：１．５程度であることが好ましい。
また、カンキツ系の植物精油とスパイス類の植物精油をブレンドする場合の混合比も前記と同様の範囲程度が好ましい。
なお、この場合、センダン科の植物精油に代え、スパイス類の植物精油をセンダン科の植物精油と同比率の混合比で使用しても良い。
【００１２】
なお、ここで、ハーブと称されている植物精油として本発明の含浸シートに適用して特に有効なシトロネラと、またシトロネラにブレンドして特に有効なニームオイルのサンプルの組成成分を示すと次の通りである。
Ａ．シトロネラ
説明：シンボパゴン  ナルダス（Ｃｙｍｂｏｐａｇｏｎ  ｎａｒｄｕｓ）の乾燥した草を蒸留して得られるもの。
工業的データ：
▲１▼特徴：柑橘類の臭い、特別な刺激臭を有する黄色〜青黄色の液体
▲２▼２０℃の比重：０．８８０〜０．９２２
▲３▼２０℃の屈折率：１．４６６〜１．１４７５
▲４▼合計のゼラニオール（Ｇｅｒａｎｉｏｌ）（％Ｗ／Ｗ）：最低値８５
▲５▼シトロネリアル（Ｃｉｔｒｏｎｅｌｉａｌ）（％Ｗ／Ｗ）：最低値３５
▲６▼８０％エタノールにおける溶解度（Ｖ／Ｖ）    ：１．２クリア
【００１３】
Ｂ．ニームオイル：
このサンプルは、ニーム  ケルネル  オイル（Ｎｅｅｍ  Ｋｅｒｎｅｌ  Ｏｉｌ）と称されるもので、次の組成のものである。
▲１▼質量中の水分及び不純物の割合：０．１７６
▲２▼４０℃における屈折率：１．４５６
▲３▼鹸化値：１．８７
▲４▼ヨウ化物値（Ｉｏｄｉｎｅ  ｖａｌｕｅ）：７３
▲５▼酸化値：８．６２
▲６▼質量中の反鹸化値の割合：０．５３
【００１４】
第２の基本形態：
次に、第２の基本形態である本発明の含浸シートについて説明する。
本基本形態の含浸シートは、不織布（この組成は第１の基本形態のものと同様のものでよい。）に、シトロネラ、ニームオイル、スペアミント、カユプテ、ゼラニウム、パチュリ、テレピン、除虫菊等のハーブと称せられる植物精油を単独又は複数種ブレンドしたものを含浸し、さらに、ｃａｐｓｉｃｕｍ（激辛トウガラシ）のエキスを含浸するようにしたものである。
換言すれば、第１の基本形態の含浸シートに、さらに、ｃａｐｓｉｃｕｍ（激辛トウガラシ）のエキスを含浸するようにしたものである。
この場合、ハーブとｃａｐｓｉｃｕｍの各エキスの混合比は、例えば、７：３〜６．５：２．５程度であることが好ましい。
ここで、混合されるｃａｐｓｉｃｕｍのエキスをＨＰＬＣ（高速液体クラマトグラフィ）法で測定したカプサイシン含量で表示される辛み度合いで１〜７％とするのが適当である。
なお、カプサイシン含有量の測定方法としては、周知のようにＵＶ法、ＰＣ法、ＴＬＣ法、ＨＰＬＣ法などの各種の測定方法がある。
出願人は、これらの測定方法の内、本発明の作用効果を確認するために行った試料としては、次に述べるようにＨＰＬＣ法により測定したものを使用した。
即ち、本発明で用いられるｃａｐｓｉｃｕｍの試料の分析結果を示すと、次の通りである。
生産物  ：ｃａｐｓｉｃｕｍ含油樹脂（ｃａｐｓｉｃｕｍ  ｏｌｅｏｒｅｓｉｎ）
外  観  ：半粘性の液体
色  彩  ：赤褐色（ｂｒｏｗｎｉｓｈ  ｒｅｄ）
（ａ）色        ：２０００ｃｕ
（ｂ）辛み度合い：ＨＰＬＣ法による測定により５．０８％
（ｃ）残余物    ：３０ＰＰＭ以下
なお、出願人は、このようにＨＰＬＣ法による測定結果に基づき検出されたカプサイシン含有量（５．０８％）の試料のほか、他のカプサイシン含有量のものについても、本発明の適用についてのサンプルテストをした結果、本発明で有用なｃａｐｓｉｃｕｍのエキスの辛み度合いを前記のように１〜７％が適当であると判定したものである。
【００１５】
第３の基本形態：
次に、第３の基本形態である本発明の含浸シートについて説明する。
本基本形態の含浸シートは、不織布（この組成は第１の基本形態のものと同様のものでよい。）に、シトロネラ、ニームオイル、スペアミント、カユプテ、ゼラニウム、パチュリ、テレピン、除虫菊等のハーブと称せられる植物精油を単独又は複数種ブレンドしたものを含浸したものに、さらに、ｃａｐｓｉｃｕｍ（激辛トウガラシ）のエキスを含浸し、さらに、ガーリック（ニンニク）のエキスを所定量加えたものを含浸させるようにして含浸シートを構成したものである。この場合、ｃａｐｓｉｃｕｍ（激辛トウガラシ）のエキスの含浸がある方が望ましいが、省略することができる。
この場合、ハーブとガーリックとの各エキスの混合比は、例えば、６：４程度とすることが好ましい。
さらに、ハーブとｃａｐｓｉｃｕｍとガーリックの三者を組み合わせる場合には各エキスの混合比は、例えば、６：２：２程度とすることが好ましい。
【００１６】
第４の基本形態：
次に、第４の基本形態である本発明の含浸シートについて説明する。
本基本形態の含浸シートは、第１乃至第３の基本形態の夫々の含浸シートの表面に融点が４０℃〜９０℃であるパラフィン又はワックスを含浸或いは塗布するようにして構成した含浸シートである。
このように、融点が４０℃〜９０℃であるパラフィン又はワックスを含浸或いは塗布すると、揮発性のハーブ、ｃａｐｓｉｃｕｍ、ガーリックの各エキスの保存期間が延長される効果がある。
なお、パラフィン又はワックスの含浸条件としては、次の含浸条件で行うのが適当であることが確認されている。
（１）ワックスを溶融槽に入れ、温度８０℃でゆっくり溶融する。
（２）このワックスの溶融槽に含浸シートを含浸する。
（３）含浸シートを入れても温度が７５℃〜８０℃に保持されるように温度コントロールを行う。
（４）含浸シートの浸漬時間は、９０分〜１２０分程度とする。
（５）上記浸漬時間経過後に、ワックスが含浸された含浸シートを引き上げ、ワックスを切る。この場合のワックス切りは、含浸シートを揺すった後、２分程度吊るせばよい。
【００１７】
２．水切り袋
次に、上記した本発明の含浸シートを用いた本発明の水切り袋について説明する。
第１の実施の形態：
図１（Ａ）に示すものは、本発明の水切り袋の第１の実施の形態の斜視図で、水切り袋１は、上述の第１乃至第４の基本形態のいずれかの形態で製作した含浸シートを用いて、構成すれば良い。
この場合、水切り袋１の機能は、各含浸シートの素材により、次のような特徴があり、結局、第４の基本形態の含浸シートを用いるものが一番優れていることになるが、水切り袋の使用が主として、家庭内の台所や、業務用としてもレストランの厨房等に止まることを考慮すると、水切り袋としては、（２．１）の形態のもので実用上は十分と言える。
（２．１）第１の基本形態の含浸シートを素材としたもの
この場合、水切り袋に含浸されたシトロネラ、ニームオイル、除虫菊等のハーブ特有の刺激臭のため、これまで水切り袋に付着する恐れがあったゴキブリほかの害虫の侵入が防止され、殺菌作用もあるという効果がある。
（２．２）第２の基本形態の含浸シートを素材としたもの
この場合、水切り袋から発せられるハーブの特有の臭いに加え、ｃａｐｓｉｃｕｍの刺激性の臭いと赤色（赤褐色）が相乗して前記（２．１）の基本形態の水切り袋よりも、さらに増大した防虫作用及び忌避作用を発揮する。
（２．３）第３の基本形態の含浸シートを素材としたもの
この場合、水切り袋に含浸されたシトロネラ等のハーブの特有の臭いに加え、ガーリックのエキスの臭いが各別又は相乗して作用し、さらにｃａｐｓｉｃｕｍを併用した場合には、その刺激性の臭い及び赤色（赤褐色）も各別又は相乗して作用するので、前記（２．１）の基本形態及び前記（２．２）の基本形態の水切り袋よりも、さらに顕著な防虫作用のほかカラス等の害鳥や猫などの害獣に対する忌避作用も発揮する。
（２．４）第４の基本形態の含浸シートを素材としたもの
この場合、含浸シートの表面に、融点が４０℃〜９０℃である適量のパラフィン又はワックスが含浸シートに対して含浸或いは塗布されているから、含浸シートに含浸されている揮発性であるハーブ、ｃａｐｓｉｃｕｍのエキス、ガーリックの刺激臭の保持期間を、上記の（２．１）〜（２．３）の基本構成の場合に比べて適正な期間の範囲で延長して持続できる効果がある。
なお、パラフィン又はワックスの含浸は、次の条件で行うのが適当であることが確認されている。
（１）ワックスを溶融槽に入れ、温度８０℃でゆっくり溶融する。
（２）このワックスの溶融槽に水切り袋を含浸する。
（３）水切り袋を入れても温度が７５℃〜８０℃に保持されるように温度コントロールを行う。
（４）水切り袋の浸漬時間は、９０分〜１２０分程度とする。
（５）上記浸漬時間経過後に、ワックスが含浸された水切り袋を引き上げ、ワックスを切る。この場合のワックス切りは、水切り袋を揺すった後、２分程度吊るすようにすればよい。
【００１８】
第２の実施の形態：
図１（Ｂ）は本発明の水切り袋の第２の実施の形態を示す斜視図である。
即ち、水切り袋の第２の実施の形態のものは、同図に示すように、従来の市販品の水切り袋、例えばポリエチレンシートの如き合成樹脂を材質として形成され、所定形状の複数個の水切り孔ｈを備えた水切り袋２に対して、前述した第１乃至第４の基本形態のいずれかの手段で形成した複数個の矩形状の含浸シート２ａ１、２ａ２、２ａ３、２ａ４、２ａ５、２ａ６を接着剤又は加熱処理で貼着して構成される。
この場合、含浸シート２ａ１〜２ａ６は、図１（Ｂ）に示したものでは、矩形状の場合で６枚のものを示したが、その形状は丸、菱形、三角形、円弧形状などの各種形状のものであってよく、当該水切り袋２の総面積に対して、例えば、３０〜８０％程度の比率を占める割合のものとなるように、その大きさ、数を設定すればよい。
本実施の形態の水切り袋２の場合も、含浸シートとしての素材により、第１の実施の形態の（２．１）〜（２．４）に記載した場合と同様の機能を発揮するものであることは勿論である。
【００１９】
３．ごみ袋
次に、前記した本発明の含浸シートを用いた本発明のごみ袋について説明する。
第１の実施の形態：
図２（Ａ）及び（Ｂ）は夫々本発明の含浸シートを用いた本発明のごみ袋の第１の実施の形態であるごみ袋の平面図及び厚み部分の拡大縦断面図である。
本発明のごみ袋の第１の実施の形態であるごみ袋４は、同図に示すように、市販の合成樹脂製のごみ袋より成るごみ袋本体３、例えば、炭酸カルシウム３０％混入のポリエチレンシートのごみ袋本体３の内面の全面に亙り、前述の第１乃至第４の基本形態のいずれかの形態で製作した含浸シートから成る袋状の含浸シート袋４ａを接着剤又は加熱処理（４０℃〜９０℃程度の温度で加熱処理）で貼着して本発明の改良型のごみ袋４を構成したものである。なお、３ａは、「ごみ収集袋」の記載のほか、市販のごみ袋に記載されているようなごみ袋に必要な注意事項等を記載するための記載欄であるが、その趣旨が記載されてあれば良いので、この記載欄の形態、大きさなどは図示のものに限定されない。
なお、第１の実施の形態のごみ袋は、図２（Ａ）、（Ｂ）に示すものでは、ごみ袋本体３として、市販のごみ袋を用いた例を示したので、含浸シート袋をその内面側に貼着する場合を示したが、含浸シート袋４ａ側に「ごみ収集袋」の表記を含む必要事項の記載欄を設けるようにすれば、同形の合成樹脂製の袋の外側に前記素材から成る含浸シート袋４ａを貼着して本発明の改良型のごみ袋４を構成するようにしてもよい。
【００２０】
この場合、ごみ袋４の機能は、各含浸シートの素材により、次のような特徴があり、結局、第４の基本形態の含浸シートを用いるものが一番優れていることになる。
（３．１）第１の基本形態の含浸シートを素材としたもの
この場合、含浸シート袋３に含浸されたシトロネラ、ニーム、除虫菊等のハーブ特有の刺激臭のため、これまでごみ袋に付着する恐れがあったゴキブリほかの害虫の侵入が防止され、殺菌作用もあるので、ごみ袋の回収まで時間及び回収後のごみ袋を清潔に保持できる、という効果がある。
（３．２）第２の基本形態の含浸シートを素材としたもの
この場合、含浸シート袋３から発せられるハーブの特有の臭いに加え、ｃａｐｓｉｃｕｍの刺激性の臭いと赤色（赤褐色）が相乗して前記（２．１）の基本形態の水切り袋よりも、さらに増大した防虫作用及び忌避作用を発揮する。
（３．３）第３の基本形態の含浸シートを素材としたもの
この場合、含浸シート袋３に含浸されたシトロネラ等のハーブの特有の臭いに加え、ガーリックのエキスの臭いが各別又は相乗して作用し、さらにｃａｐｓｉｃｕｍを併用した場合には、その刺激性の臭い及び赤色（赤褐色）も各別又は相乗して作用するので、前記（３．１）の基本形態及び前記（３．２）の基本形態の水切り袋よりも、さらに顕著な防虫作用のほかカラス等の害鳥や猫などの害獣に対する忌避作用も発揮する。
（３．４）第４の基本形態の含浸シートを素材としたもの
この場合、含浸シートの表面に、融点が４０℃〜９０℃である適量のパラフィン又はワックスが含浸シートに対して含浸或いは塗布されているから、含浸シートに含浸されている揮発性であるハーブ、ｃａｐｓｉｃｕｍのエキス、ガーリックの刺激臭の保持期間を、上記の（３．１）〜（３．３）の基本構成の場合に比べて適正な期間の範囲で延長して持続できる効果がある。
なお、パラフィン又はワックスの含浸条件としては、前記した水切り袋の場合と同様、次の含浸条件で行うのが適当であることが確認されている。
（１）ワックスを溶融槽に入れ、温度８０℃でゆっくり溶融する。
（２）このワックスの溶融槽にごみ袋を含浸する。
（３）ごみ袋を入れても温度が７５℃〜８０℃に保持されるように温度コントロールを行う。
（４）ごみ袋の浸漬時間は、９０分〜１２０分程度とする。
（５）上記浸漬時間経過後に、ワックスが含浸されたごみ袋を引き上げ、ワックスを切る。この場合のワックス切りは、ごみ袋を揺すった後、２分程度吊るすようにすればよい。
【００２１】
第２の実施の形態：
図３は本発明の含浸シートを用いた本発明のごみ袋の第２の実施の形態であるごみ袋の平面図である。
即ち、本発明のごみ袋の第２の実施の形態のものは、同図に示すように、従来の市販品のごみ袋（例えば必要により炭酸カルシウムを３０％程度混入したポリエチレンシート製のもの）の如き合成樹脂製のごみ袋３に対して、前述した第１乃至第４の基本形態のいずれかの手段で形成した複数個の矩形状の含浸シート５ａ１、５ａ２、５ａ３、５ａ４、５ａ５を接着剤又は加熱処理で貼着して構成される。この場合の加熱処理の温度としては４０℃〜９０℃程度が適当である。
この場合、含浸シート５ａ１〜５ａ５は、図３に示したものでは、矩形状の場合で５個のものを示したが、当該ごみ袋本体３の総面積に対して、例えば、３０〜８０％程度の比率を占める割合のものとなるように、その大きさ、数を設定すればよい。
本実施の形態のごみ袋５の場合も、含浸シートとしての素材により、第１の実施の形態の（３．１）〜（３．４）に記載した場合と同様の機能を発揮するものであることは勿論である。
【００２２】
第３の実施の形態：
図４は本発明の含浸シートを用いた本発明のごみ袋の第３の実施の形態であるごみ袋の平面図である。
即ち、本発明のごみ袋の第３の実施の形態のものは、同図に示すように、従来の市販品のごみ袋（例えば必要により炭酸カルシウムを３０％程度混入したポリエチレンシート製のもの）の如き合成樹脂製のごみ袋３に対して、前述した第１乃至第４の基本形態のいずれかの手段で形成した複数個の円形状の含浸シート６ａ１、６ａ２、６ａ３、６ａ４を接着剤又は加熱処理で貼着して構成される。この場合の加熱処理の温度としては４０℃〜９０℃程度が適当である。
この場合、含浸シート６ａ１〜６ａ４は、図４に示したものでは、円形状の場合で４個のものを示したが、当該ごみ袋本体３の総面積に対して、例えば、３０〜８０％程度の比率を占める割合のものとなるように、その大きさ、数を設定すればよい。
本実施の形態のごみ袋６の場合も、含浸シートとしての素材により、第１の実施の形態の（３．１）〜（３．４）に記載した場合と同様の機能を発揮するものであることは勿論である。
また、本実施の形態の場合、含浸シート６ａ１〜６ａ４は、図４に示すように、円形状の場合で示したが、これに代え、菱形、三角形、円弧形状などの他の各種形状のものであってよい。
さらに、ごみ袋の大きさは、これが使用されている場所の地方公共団体の条例などで指定されるごみ袋の大きさ、例えば３０リットル、４５リットルなどの所定の大きさに合致する大きさとなるように製作するものとする。
【００２３】
【発明の効果】
本発明の含浸シート及びこの含浸シートを用いた水切り袋並びにごみ袋によると、次のような優れた効果を有する。
（１）請求項５又は請求項７に記載の水切り袋又はごみ袋として、請求項１に記載の含浸シートを用いたものでは、貼着された含浸シートが出るハーブの薫りにより、ゴキブリなどの害虫の接近を防止し、殺菌作用を発揮できる。
（２）請求項５又は請求項７に記載の水切り袋又はごみ袋として、請求項２に記載の含浸シートを用いたものでは、さらに、ｃａｐｓｉｃｕｍ（激辛トウガラシ）のエキスが含浸されているから、ハーブの薫りによる防虫、殺菌作用加えて、ｃａｐｓｉｃｕｍ（激辛トウガラシ）のエキスから出る異臭が相乗するので、カラスなどの害鳥や、猫などの害獣の忌避作用もある。
（３）請求項５又は請求項７に記載の水切り袋又はごみ袋として、請求項３に記載の含浸シートを用いたものでは、さらに、ガーリック（ニンニク）のエキスを含浸させるように構成したから、ハーブの薫りによる防虫、殺菌作用、ｃａｐｓｉｃｕｍ（激辛トウガラシ）のエキスから出る異臭に加えて、さらに、ガーリック（ニンニク）のエキスから出る異臭が相乗するので、カラスなどの害鳥や、猫などの害獣の忌避作用が強化される。
（４）請求項５又は請求項７に記載の水切り袋又はごみ袋として、請求項４に記載のように、含浸シートの表面に、融点が４０℃〜９０℃であるパラフィン又はワックスを含浸或いは塗布するように構成すると、揮発性であるハーブ又は／及びｃａｐｓｉｃｕｍ（激辛トウガラシ）のエキス又は／及びガーリック（ニンニク）のエキスの保持作用が延長されるので、防虫、防鳥、防獣効果は、さらに増大できる。
（５）請求項６又は請求項７に記載のように、水切り袋又はごみ袋の構成を、通常の水切り袋又はごみ袋に対して含浸シートを貼着するようにすると、予め、含浸シートを製作しておき、販売対象の水切り袋又はごみ袋の仕様を考慮して、市販の水切り袋又はごみ袋と、含浸シートの組合せで、本発明の水切り袋又はごみ袋を製作できるという利点がある。
（６）請求項８に記載のように、本発明の水切り袋又はごみ袋に適用する含浸シートとして、矩形状又は円形状などの各種形状を用いることができるから、販売対象の水切り袋又はごみ袋の仕様を考慮して、含浸シートの形状を作業性良く設定することができる。
【図面の簡単な説明】
【図１】本発明の水切り袋を示すもので、同図（Ａ）は第１の実施の形態の水切り袋の斜視図、同図（Ｂ）は第２の実施の形態の水切り袋の斜視図である。
【図２】本発明のごみ袋の第１の実施の形態を示すもので、同図（Ａ）は平面図、同図（Ｂ）は厚み部の拡大縦断面図である。
【図３】本発明のごみ袋の第２の実施の形態を示す平面図である。
【図４】本発明のごみ袋の第３の実施の形態を示す平面図である。
【符号の説明】
１、２：本発明の水切り袋
２ａ１〜２ａ６：含浸シート
３：ごみ袋本体
４、５、６：本発明のごみ袋
４ａ：含浸シート袋
５ａ１〜５ａ５，６ａ１〜６ａ４：含浸シート
【図１】
2004238778.tif 000003
【図２】
2004238778.tif 000004
【図３】
2004238778.tif 000005
【図４】
2004238778.tif 000006